(57)【特許請求の範囲】
【請求項１】
ユーザ機器が、基地局が送信したリソース構成情報を受信するステップと、
前記ユーザ機器が、前記リソース構成情報に従って前記基地局に上りデータを送信するステップと、
を含み、
前記リソース構成情報は無線リソースの周期を含み、前記無線リソースは前記基地局によって前記ユーザ機器に割り振られ、
前記ユーザ機器が、前記リソース構成情報に従って前記基地局に上りデータを送信する前記ステップは、
前記ユーザ機器が、第2の上りデータを再送するための時刻は、第1の上りデータを送信するための、前記周期に従って決定される時刻と同じであると判定するステップと、
優先度に従って、前記ユーザ機器が、前記第1の上りデータを送信し、または前記ユーザ機器が、前記第2の上りデータを再送するステップであって、前記優先度は、前記第1の上りデータを送信し、または前記第2の上りデータを再送するための優先レベルを指示するのに用いられる、前記ステップと、
を含み、前記優先度は前記ユーザ機器によって事前に構成され、または前記優先度は前記リソース構成情報にさらに含まれ、
前記リソース構成情報は、優先度閾値情報をさらに含み、前記優先度閾値情報は、前記優先度を適用する条件を指示するのに用いられる、
データ送信方法。
【請求項２】
前記リソース構成情報は、同時送信情報、または持続期間のうちの少なくとも1つをさらに含み、前記同時送信情報は、前記ユーザ機器に、異なる無線リソースに従って、前記第1の上りデータの送信と前記第2の上りデータの再送とを同時に行うよう命令するのに用いられ、前記持続期間は、前記ユーザ機器が、前記リソース構成情報に従って、前記基地局に前記第1の上りデータを送信し、または前記第2の上りデータを再送するための期間である、請求項1に記載の方法。
【請求項３】
前記ユーザ機器が、前記リソース構成情報に従って前記基地局に上りデータを送信する前記ステップの前に、前記方法は、
前記ユーザ機器が、媒体アクセス制御層または物理層で前記基地局が送信した第1のアクティブ化コマンドを受信するステップ、
をさらに含み、前記第1のアクティブ化コマンドが無線リソースを含む場合、前記第1のアクティブ化コマンドは前記第1のアクティブ化コマンドで指示される前記無線リソースをアクティブ化するのに用いられ、
前記リソース構成情報が無線リソースを含む場合、前記第1のアクティブ化コマンドは前記リソース構成情報で指示される前記無線リソースをアクティブ化するのに用いられる、請求項1または2に記載の方法。
【請求項４】
前記リソース構成情報は前記無線リソースの前記周期を含み、前記無線リソースは前記基地局によって前記ユーザ機器に割り振られ、前記周期は10ミリ秒未満である、請求項1から3のいずれか一項に記載の方法。
【請求項５】
基地局が、リソース構成情報を取得するステップと、
前記基地局が、ユーザ機器に前記リソース構成情報を送信するステップと、
を含み、
前記リソース構成情報は無線リソースの周期を含み、前記周期は前記ユーザ機器によって第1の上りデータを送信するための時刻を決定するのに用いられ、前記無線リソースは前記基地局によって前記ユーザ機器に割り振られ、前記リソース構成情報は優先度をさらに含み、前記優先度は、前記ユーザ機器が前記第1の上りデータを送信し、または第2の上りデータを再送するための優先レベルを指示するのに用いられ、
前記リソース構成情報は、優先度閾値情報をさらに含み、前記優先度閾値情報は、前記優先度を適用する条件を指示するのに用いられる、
データ送信方法。
【請求項６】
前記リソース構成情報は、同時送信情報、または持続期間のうちの少なくとも1つをさらに含み、前記同時送信情報は、前記ユーザ機器に、異なる無線リソースに従って、前記第1の上りデータの送信と前記第2の上りデータの再送とを同時に行うよう命令するのに用いられ、前記持続期間は、前記ユーザ機器が、前記リソース構成情報に従って、前記基地局に前記第1の上りデータを送信し、または前記第2の上りデータを再送するための期間である、請求項5に記載の方法。
【請求項７】
前記基地局が、前記ユーザ機器に前記リソース構成情報を送信する前記ステップの後に、前記方法は、
前記基地局が前記ユーザ機器に、媒体アクセス制御層または物理層で第1のアクティブ化コマンドを送信するステップ、
をさらに含み、前記第1のアクティブ化コマンドが無線リソースを含む場合、前記第1のアクティブ化コマンドは前記第1のアクティブ化コマンドで指示される前記無線リソースをアクティブ化するのに用いられ、
前記リソース構成情報が無線リソースを含む場合、前記第1のアクティブ化コマンドは前記リソース構成情報で指示される前記無線リソースをアクティブ化するのに用いられる、請求項5または6に記載の方法。
【請求項８】
前記リソース構成情報は前記無線リソースの前記周期を含み、前記無線リソースは前記基地局によって前記ユーザ機器に割り振られ、前記周期は10ミリ秒未満である、請求項5から7のいずれか一項に記載の方法。
【請求項９】
処理部の制御に従って、基地局が送信したリソース構成情報を受信するように構成された、受信部と、
前記処理部の前記制御と前記リソース構成情報とに従って、前記基地局に上りデータを送信するように構成された、送信部と、
前記受信部を、前記基地局が送信した前記リソース構成情報を受信するように制御し、前記送信部を、前記リソース構成情報に従って前記基地局に前記上りデータを送信するように制御する、ように構成された、前記処理部と、
を含む、ユーザ機器において、
前記リソース構成情報は無線リソースの周期を含み、前記無線リソースは前記基地局によって前記ユーザ機器に割り振られ、
前記処理部は、
第2の上りデータを再送するための時刻は、第1の上りデータを送信するための、前記周期に従って決定される時刻と同じであると判定する、
ようにさらに構成されており、
前記送信部は、
前記第1の上りデータを送信し、または前記第2の上りデータを再送するための優先レベルを指示するのに用いられる優先度に従って前記第1の上りデータを送信し、または前記第2の上りデータを再送する、
ように特に構成されており、前記優先度は前記ユーザ機器によって事前に構成され、または前記優先度は前記リソース構成情報にさらに含まれ、
前記リソース構成情報は、優先度閾値情報をさらに含み、前記優先度閾値情報は、前記優先度を適用する条件を指示するのに用いられる、
ユーザ機器。
【請求項１０】
前記リソース構成情報は、同時送信情報、または持続期間のうちの少なくとも1つをさらに含み、前記同時送信情報は、前記ユーザ機器に、異なる無線リソースに従って、前記第1の上りデータの送信と前記第2の上りデータの再送とを同時に行うよう命令するのに用いられ、前記持続期間は、前記ユーザ機器が、前記リソース構成情報に従って、前記基地局に前記第1の上りデータを送信し、または前記第2の上りデータを再送するための期間である、請求項9に記載のユーザ機器。
【請求項１１】
前記受信部は、
媒体アクセス制御層または物理層で前記基地局が送信した第1のアクティブ化コマンドを受信する、
ようにさらに構成されており、前記第1のアクティブ化コマンドが無線リソースを含む場合、前記第1のアクティブ化コマンドは前記第1のアクティブ化コマンドで指示される前記無線リソースをアクティブ化するのに用いられ、
前記リソース構成情報が無線リソースを含む場合、前記第1のアクティブ化コマンドは前記リソース構成情報で指示される前記無線リソースをアクティブ化するのに用いられる、請求項9または10に記載のユーザ機器。
【請求項１２】
前記リソース構成情報は前記無線リソースの前記周期を含み、前記無線リソースは前記基地局によって前記ユーザ機器に割り振られ、前記周期は10ミリ秒未満である、請求項9から11のいずれか一項に記載のユーザ機器。
【請求項１３】
リソース構成情報を取得するように構成された、処理部と、
ユーザ機器に前記リソース構成情報を送信するように構成された、送信部と、
を含む、基地局において、
前記リソース構成情報は無線リソースの周期を含み、前記周期は前記ユーザ機器によって第1の上りデータを送信するための時刻を決定するのに用いられ、前記無線リソースは前記基地局によって前記ユーザ機器に割り振られ、前記リソース構成情報は優先度をさらに含み、前記優先度は、前記ユーザ機器が前記第1の上りデータを送信し、または第2の上りデータを再送するための優先レベルを指示するのに用いられ、
前記リソース構成情報は、優先度閾値情報をさらに含み、前記優先度閾値情報は、前記優先度を適用する条件を指示するのに用いられる、
基地局。
【請求項１４】
前記リソース構成情報は、同時送信情報、または持続期間のうちの少なくとも1つをさらに含み、前記同時送信情報は、前記ユーザ機器に、異なる無線リソースに従って、前記第1の上りデータの送信と前記第2の上りデータの再送とを同時に行うよう命令するのに用いられ、前記持続期間は、前記ユーザ機器が、前記リソース構成情報に従って、前記基地局に前記第1の上りデータを送信し、または前記第2の上りデータを再送するための期間である、請求項13に記載の基地局。
【請求項１５】
前記送信部は、
前記ユーザ機器に、媒体アクセス制御層または物理層で第1のアクティブ化コマンドを送信する、
ようにさらに構成されており、前記第1のアクティブ化コマンドが無線リソースを含む場合、前記第1のアクティブ化コマンドは前記第1のアクティブ化コマンドで指示される前記無線リソースをアクティブ化するのに用いられ、
前記リソース構成情報が無線リソースを含む場合、前記第1のアクティブ化コマンドは前記リソース構成情報で指示される前記無線リソースをアクティブ化するのに用いられる、請求項13または14に記載の基地局。
【請求項１６】
前記リソース構成情報は前記無線リソースの前記周期を含み、前記無線リソースは前記基地局によって前記ユーザ機器に割り振られ、前記周期は10ミリ秒未満である、請求項13から15のいずれか一項に記載の基地局。
【請求項１７】
コンピュータに請求項1から4のいずれか一項に記載の方法を実行させるプログラムが記録されたコンピュータ読み取り可能な記録媒体。
【請求項１８】
コンピュータに請求項5から8のいずれか一項に記載の方法を実行させるプログラムが記録されたコンピュータ読み取り可能な記録媒体。
【請求項１９】
ユーザ機器と基地局を備えていて、これらがお互いと通信する通信システムにおいて、前記ユーザ機器は請求項1から4のいずれか一項に記載の方法を実行し、かつ前記基地局は請求項5から8のいずれか一項に記載の方法を実行する、通信システム。
【発明の詳細な説明】
【技術分野】
【０００１】
本発明は、無線通信の分野に関し、特に、データ送信方法およびデータ送信装置に関する。
【背景技術】
【０００２】
現在、無線通信システムにおいて、基地局（例えば、進化型ノードB（evolved Node B、eNB））は、事前スケジューリング法を用いてユーザ機器（User Equipment、UE）に無線リソースを事前に割り振ることができる。UEが上りデータの送信を必要とする場合、UEは、スケジューリング要求（Scheduling Request、SR）・バッファ状態報告（Buffer Status Report、BSR）プロセスを短縮し、またはその実行を回避し、上りデータ送信の遅延を低減するように、UEに事前に割り振られた無線リソースを用いて上りデータを直接送信することができる。例えば、eNBは第1の周期に従ってUEに無線リソースを割り振る。UEが上りデータの送信または下りデータの受信を必要とする場合、UEは、UEに割り振られた無線リソース上で上りデータを送信し、または下りデータを受信することができる。eNBがUEに無線リソースを周期的に割り振るための第1の周期の最小構成は10ミリ秒（ms）である。
【０００３】
しかし、遅延と信頼性とは通常相反する。データ伝送の高信頼性が必要とされる場合には、通常、より多くの送信回数が必要であり、そのため遅延性能に影響が及び、逆もまた同様である。したがって、UEがデータを送信するときに、どのようにしてデータ伝送の高信頼性を保証しつつ上りデータ送信の遅延を低減させるかが解決すべき喫緊の問題である。
【発明の概要】
【課題を解決するための手段】
【０００４】
本発明の実施形態は、上りデータ送信の高信頼性を有効に保証し、上りデータ送信の遅延を有効に低減するために、データ送信方法およびデータ送信装置を提供する。
【０００５】
前述の目的を達成するために、本発明の実施形態では以下の技術解決策を用いる。
【０００６】
第1の態様によれば、データ送信方法が提供され、本方法は、
ユーザ機器が、基地局が送信したリソース構成情報を受信するステップと、
ユーザ機器が、リソース構成情報に従って基地局に上りデータを送信するステップと、
を含む。
【０００７】
第1の態様に関連して、第1の可能な実施態様において、リソース構成情報は無線リソースの周期を含み、無線リソースは基地局によってユーザ機器に割り振られ、
ユーザ機器が、リソース構成情報に従って基地局に上りデータを送信するステップは、
ユーザ機器が、第2の上りデータを再送するための時刻は、第1の上りデータを送信するための、周期に従って決定される時刻と同じであると判定するステップと、
優先度に従って、ユーザ機器が、第1の上りデータを送信し、またはユーザ機器が、第2の上りデータを再送するステップであって、優先度は、第1の上りデータを送信し、または第2の上りデータを再送するための優先レベルを指示するのに用いられる、ステップと、
を含み、優先度はユーザ機器によって事前に構成され、または優先度はリソース構成情報にさらに含まれる。
【０００８】
このようにして、ユーザ機器が、基地局が送信したリソース構成情報に従って、第2の上りデータを再送するための時刻は、第1の上りデータを送信する、周期に従って決定される時刻と同じであると判定した場合、ユーザ機器は、優先度によって指示される、第1の上りデータを送信し、または第2の上りデータを再送するための優先レベルに従って、第1の上りデータを送信し、または第2の上りデータを再送し、それによって、第1の上りデータの送信または第2の上りデータの再送における競合が解決され、第1の上りデータの送信または第2の上りデータの再送における遅延が低減され、第1の上りデータの送信または第2の上りデータの再送の高信頼性が保証される。
【０００９】
第1の可能な実施態様に関連して、第2の可能な実施態様において、リソース構成情報は、同時送信情報、持続期間、または優先度閾値情報のうちの少なくとも1つをさらに含み、同時送信情報は、ユーザ機器に、異なる無線リソースに従って、第1の上りデータの送信と第2の上りデータの再送とを同時に行うよう命令するのに用いられ、持続期間は、ユーザ機器が、リソース構成情報に従って、基地局に第1の上りデータを送信し、または第2の上りデータを再送するための期間であり、優先度閾値情報は、優先度を適用する条件を指示するのに用いられる。
【００１０】
第1の可能な実施態様または第2の可能な実施態様に関連して、第3の可能な実施態様において、ユーザ機器が、リソース構成情報に従って基地局に上りデータを送信するステップの前に、本方法は、
ユーザ機器が、媒体アクセス制御層または物理層で基地局が送信した第1のアクティブ化コマンドを受信するステップ、
をさらに含み、第1のアクティブ化コマンドが無線リソースを含む場合、第1のアクティブ化コマンドは第1のアクティブ化コマンドで指示される無線リソースをアクティブ化するのに用いられ、
リソース構成情報が無線リソースを含む場合、第1のアクティブ化コマンドはリソース構成情報で指示される無線リソースをアクティブ化するのに用いられる。
【００１１】
第1の態様に関連して、第4の可能な実施態様において、リソース構成情報は第1の無線リソースに関する情報および第2の無線リソースに関する情報を含み、第1の無線リソースは少なくとも2台のユーザ機器によって上りデータを送信するのに用いられ、少なくとも2台のユーザ機器は該ユーザ機器を含み、第2の無線リソースは少なくとも2つの無線サブリソースを含み、少なくとも2つの無線サブリソースは各々少なくとも2台のユーザ機器のうちの1台に対応しており、無線サブリソースは、ユーザ機器が無線サブリソース上で、第1の無線リソースは上りデータを送信するために占有されているという指示情報を送信するのに用いられ、
ユーザ機器が、リソース構成情報に従って基地局に上りデータを送信するステップは、
ユーザ機器が第1の無線サブリソース上で、第1の無線リソースは占有されているという第1の指示情報を送信するステップであって、第1の無線サブリソースは、少なくとも2つの無線サブリソースのうちの、該ユーザ機器に対応している無線サブリソースである、ステップと、
ユーザ機器が、第1の無線リソース上で基地局に上りデータを送信するステップと、
を含む。
【００１２】
このようにして、ユーザ機器は、第1の無線サブリソース上で、第1の無線リソースは占有されているという第1の指示情報を送信し、そのためユーザ機器は第1の無線リソース上で基地局に上りデータを送信することができる。したがって、リソース構成情報内の、第2の無線リソースに対応している第1の無線リソースを用いて、第1の上りデータが送信され、または第2の上りデータが再送される。これにより、第1の上りデータの送信または第2の上りデータの再送における競合が解決され、第1の上りデータの送信または第2の上りデータの再送における遅延が低減され、第1の上りデータの送信または第2の上りデータの再送の高信頼性が保証される。
【００１３】
第4の可能な実施態様に関連して、第5の可能な実施態様において、ユーザ機器が、第1の無線リソース上で基地局に上りデータを送信するステップの前に、本方法は、
ユーザ機器が、媒体アクセス制御層または物理層で基地局が送信した第2のアクティブ化コマンドを受信するステップであって、第2のアクティブ化コマンドは、リソース構成情報で指示される第1の無線リソースおよび第2の無線リソースをアクティブ化するのに用いられる、ステップ、
をさらに含む。
【００１４】
第4の可能な実施態様または第5の可能な実施態様に関連して、第6の可能な実施態様において、リソース構成情報は、第1の期間、規則指示情報、または優先度指示情報のうちの少なくとも1つをさらに含み、第1の期間は、第1の無線リソースと第2の無線リソースとの間の時間間隔であり、規則指示情報は、ユーザ機器によって取得され、用いられる無線サブリソースを指示するのに用いられ、優先度指示情報は、ユーザ機器によって用いられる無線サブリソースとユーザ機器に隣接したユーザ機器によって用いられる無線サブリソースとの優先レベルを指示するのに用いられる。
【００１５】
第6の可能な実施態様に関連して、第7の可能な実施態様において、ユーザ機器が第1の無線サブリソース上で、第1の無線リソースは占有されているという第1の指示情報を送信するステップの前に、本方法は、
ユーザ機器が規則指示情報に従って、ユーザ機器が第1の指示情報を送信するのに用いる必要がある第1の無線サブリソースを決定するステップ、
をさらに含む。
【００１６】
第7の可能な実施態様に関連して、第8の可能な実施態様において、本方法は、
ユーザ機器が、ユーザ機器に隣接したユーザ機器が第2の無線サブリソースを用いて第2の指示情報を送信したことを検出するステップ、
をさらに含む。
【００１７】
第8の可能な実施態様に関連して、第9の可能な実施態様において、ユーザ機器が第1の無線サブリソース上で、第1の無線リソースは占有されているという第1の指示情報を送信するステップは、
ユーザ機器が、ユーザ機器に隣接したユーザ機器が第2の無線サブリソースを用いて第2の指示情報を送信したことを検出によって取得しない場合、ユーザ機器が第1の無線サブリソース上で、第1の無線リソースは占有されているという第1の指示情報を送信するステップ、
を含む。
【００１８】
第9の可能な実施態様に関連して、第10の可能な実施態様において、ユーザ機器が、第1の無線リソース上で基地局に上りデータを送信するステップは、
ユーザ機器が、ユーザ機器に隣接したユーザ機器が第2の無線サブリソースを用いて第2の指示情報を送信したことを検出によって取得しない場合、ユーザ機器が、第1の無線リソース上で基地局に上りデータを送信するステップ、または
ユーザ機器が、ユーザ機器に隣接したユーザ機器が優先度指示情報によって指示される優先度が第1の無線サブリソースの優先度よりも高い第2の無線サブリソースを用いて第2の指示情報を送信したことを検出によって取得しない場合、ユーザ機器が、第1の無線リソース上で基地局に上りデータを送信するステップ、
を含む。
【００１９】
第7の可能な実施態様に関連して、第11の可能な実施態様において、ユーザ機器が第1の無線サブリソース上で、第1の無線リソースは占有されているという第1の指示情報を送信するステップは、
ユーザ機器が優先度指示情報に従って、ユーザ機器に隣接したユーザ機器が第2の無線サブリソースを用いて第2の指示情報を送信したことを検出する必要はない、と判定するステップと、ユーザ機器が第1の無線サブリソース上で、第1の無線リソースは占有されているという第1の指示情報を送信するステップと、
を含む。
【００２０】
第11の可能な実施態様に関連して、第12の可能な実施態様において、ユーザ機器が、第1の無線リソース上で基地局に上りデータを送信するステップは、
優先度指示情報を用いて、第1の無線サブリソースの優先度は最高であると指示するステップと、ユーザ機器が、第1の無線リソース上で基地局に上りデータを送信するステップと、
を含む。
【００２１】
第1の態様および第1から第12の可能な実施態様に関連して、第13の可能な実施態様において、リソース構成情報は無線リソースの周期を含み、無線リソースは基地局によってユーザ機器に割り振られ、周期は10ミリ秒ms未満である。
【００２２】
第2の態様によれば、データ送信方法が提供され、本方法は、
基地局が、リソース構成情報を取得するステップと、
基地局が、ユーザ機器にリソース構成情報を送信するステップと、
を含む。
【００２３】
第2の態様に関連して、1つの可能な実施態様において、リソース構成情報は無線リソースの周期を含み、周期はユーザ機器によって第1の上りデータを送信するための時刻を決定するのに用いられ、無線リソースは基地局によってユーザ機器に割り振られ、リソース構成情報は優先度をさらに含み、優先度は、ユーザ機器が第1の上りデータを送信し、または第2の上りデータを再送するための優先レベルを指示するのに用いられる。
【００２４】
第1の可能な実施態様に関連して、第2の可能な実施態様において、リソース構成情報は、同時送信情報、持続期間、または優先度閾値情報のうちの少なくとも1つをさらに含み、同時送信情報は、ユーザ機器に、異なる無線リソースに従って、第1の上りデータの送信と第2の上りデータの再送とを同時に行うよう命令するのに用いられ、持続期間は、ユーザ機器が、リソース構成情報に従って、基地局に第1の上りデータを送信し、または第2の上りデータを再送するための期間であり、優先度閾値情報は、優先度を適用する条件を指示するのに用いられる。
【００２５】
第2の可能な実施態様に関連して、第3の可能な実施態様において、基地局が、ユーザ機器にリソース構成情報を送信するステップの後に、本方法は、
基地局がユーザ機器に、媒体アクセス制御層または物理層で第1のアクティブ化コマンドを送信するステップ、
をさらに含み、第1のアクティブ化コマンドが無線リソースを含む場合、第1のアクティブ化コマンドは第1のアクティブ化コマンドで指示される無線リソースをアクティブ化するのに用いられ、
リソース構成情報が無線リソースを含む場合、第1のアクティブ化コマンドはリソース構成情報で指示される無線リソースをアクティブ化するのに用いられる。
【００２６】
第2の態様に関連して、第4の可能な実施態様において、リソース構成情報は第1の無線リソースに関する情報および第2の無線リソースに関する情報を含み、第1の無線リソースは少なくとも2台のユーザ機器によって上りデータを送信するのに用いられ、少なくとも2台のユーザ機器は該ユーザ機器を含み、第2の無線リソースは少なくとも2つの無線サブリソースを含み、少なくとも2つの無線サブリソースは各々少なくとも2台のユーザ機器のうちの1台に対応しており、無線サブリソースは、ユーザ機器が無線サブリソース上で、第1の無線リソースは上りデータを送信するために占有されているという指示情報を送信するのに用いられる。
【００２７】
第4の可能な実施態様に関連して、第5の可能な実施態様において、基地局が、ユーザ機器にリソース構成情報を送信するステップの後に、本方法は、
基地局がユーザ機器に、媒体アクセス制御層または物理層で第2のアクティブ化コマンドを送信するステップであって、第2のアクティブ化コマンドは、リソース構成情報で指示される第1の無線リソースおよび第2の無線リソースをアクティブ化するのに用いられる、ステップ、
をさらに含む。
【００２８】
第5の可能な実施態様に関連して、第6の可能な実施態様において、リソース構成情報は、第1の期間、規則指示情報、または優先度指示情報のうちの少なくとも1つをさらに含み、第1の期間は、第1の無線リソースと第2の無線リソースとの間の時間間隔であり、規則指示情報は、ユーザ機器によって取得され、用いられる無線サブリソースを指示するのに用いられ、優先度指示情報は、ユーザ機器によって用いられる無線サブリソースとユーザ機器に隣接したユーザ機器によって用いられる無線サブリソースとの優先レベルを指示するのに用いられる。
【００２９】
第2の態様および第1から第6の可能な実施態様のいずれか1つに関連して、第7の可能な実施態様において、リソース構成情報は無線リソースの周期を含み、無線リソースは基地局によってユーザ機器に割り振られ、周期は10ミリ秒ms未満である。
【００３０】
第3の態様によれば、ユーザ機器が提供され、本ユーザ機器は、
処理部の制御に従って、基地局が送信したリソース構成情報を受信するように構成された、受信部と、
処理部の制御とリソース構成情報とに従って、基地局に上りデータを送信するように構成された、送信部と、
受信部を、基地局が送信したリソース構成情報を受信するように制御し、送信部を、リソース構成情報に従って基地局に上りデータを送信するように制御する、ように構成された、処理部と、
を含む。
【００３１】
第3の態様に関連して、第1の可能な実施態様において、リソース構成情報は無線リソースの周期を含み、無線リソースは基地局によってユーザ機器に割り振られ、
処理部は、
第2の上りデータを再送するための時刻は、第1の上りデータを送信するための、周期に従って決定される時刻と同じであると判定する、
ようにさらに構成されており、
送信部は、
第1の上りデータを送信し、または第2の上りデータを再送するための優先レベルを指示するのに用いられる優先度に従って第1の上りデータを送信し、または第2の上りデータを再送する、
ように特に構成されており、優先度はユーザ機器によって事前に構成され、または優先度はリソース構成情報にさらに含まれる。
【００３２】
第1の可能な実施態様に関連して、第2の可能な実施態様において、リソース構成情報は、同時送信情報、持続期間、または優先度閾値情報のうちの少なくとも1つをさらに含み、同時送信情報は、ユーザ機器に、異なる無線リソースに従って、第1の上りデータの送信と第2の上りデータの再送とを同時に行うよう命令するのに用いられ、持続期間は、ユーザ機器が、リソース構成情報に従って、基地局に第1の上りデータを送信し、または第2の上りデータを再送するための期間であり、優先度閾値情報は、優先度を適用する条件を指示するのに用いられる。
【００３３】
第1の可能な実施態様または第2の可能な実施態様に関連して、第3の可能な実施態様において、受信部は、
媒体アクセス制御層または物理層で基地局が送信した第1のアクティブ化コマンドを受信する、
ようにさらに構成されており、第1のアクティブ化コマンドが無線リソースを含む場合、第1のアクティブ化コマンドは第1のアクティブ化コマンドで指示される無線リソースをアクティブ化するのに用いられ、
リソース構成情報が無線リソースを含む場合、第1のアクティブ化コマンドはリソース構成情報で指示される無線リソースをアクティブ化するのに用いられる。
【００３４】
第3の態様に関連して、第4の可能な実施態様において、リソース構成情報は第1の無線リソースに関する情報および第2の無線リソースに関する情報を含み、第1の無線リソースは少なくとも2台のユーザ機器によって上りデータを送信するのに用いられ、少なくとも2台のユーザ機器は該ユーザ機器を含み、第2の無線リソースは少なくとも2つの無線サブリソースを含み、少なくとも2つの無線サブリソースは各々少なくとも2台のユーザ機器のうちの1台に対応しており、無線サブリソースは、ユーザ機器が無線サブリソース上で、第1の無線リソースが上りデータを送信するために占有されているという指示情報を送信するのに用いられ、
送信部は、
少なくとも2つの無線サブリソースのうちの、ユーザ機器に対応している無線サブリソースである第1の無線サブリソース上で、第1の無線リソースは占有されているという第1の指示情報を送信し、
第1の無線リソース上で基地局に上りデータを送信する、
ように特に構成されている。
【００３５】
第4の可能な実施態様に関連して、第5の可能な実施態様において、受信部は、
リソース構成情報で指示される第1の無線リソースおよび第2の無線リソースをアクティブ化するのに用いられる、媒体アクセス制御層または物理層で基地局が送信した第2のアクティブ化コマンドを受信する、
ようにさらに構成されている。
【００３６】
第4の可能な実施態様または第5の可能な実施態様に関連して、第6の可能な実施態様において、リソース構成情報は、第1の期間、規則指示情報、または優先度指示情報のうちの少なくとも1つをさらに含み、第1の期間は、第1の無線リソースと第2の無線リソースとの間の時間間隔であり、規則指示情報は、ユーザ機器によって取得され、用いられる無線サブリソースを指示するのに用いられ、優先度指示情報は、ユーザ機器によって用いられる無線サブリソースとユーザ機器に隣接したユーザ機器によって用いられる無線サブリソースとの優先レベルを指示するのに用いられる。
【００３７】
第6の可能な実施態様に関連して、第7の可能な実施態様において、
処理部は、規則指示情報に従って、ユーザ機器が第1の指示情報を送信するのに用いる必要がある第1の無線サブリソースを決定するように構成されている。
【００３８】
第7の可能な実施態様に関連して、第8の可能な実施態様において、処理部は、
ユーザ機器に隣接したユーザ機器が第2の無線サブリソースを用いて第2の指示情報を送信したことを検出する、
ようにさらに構成されている。
【００３９】
第8の可能な実施態様に関連して、第9の可能な実施態様において、送信部は、
ユーザ機器が、ユーザ機器に隣接したユーザ機器が第2の無線サブリソースを用いて第2の指示情報を送信したことを検出によって取得しない場合、第1の無線サブリソース上で、第1の無線リソースは占有されているという第1の指示情報を送信する、
ように特に構成されている。
【００４０】
第9の可能な実施態様に関連して、第10の可能な実施態様において、送信部は、
ユーザ機器が、ユーザ機器に隣接したユーザ機器が第2の無線サブリソースを用いて第2の指示情報を送信したことを検出によって取得しない場合、第1の無線リソース上で基地局に上りデータを送信し、または
ユーザ機器が、ユーザ機器に隣接したユーザ機器が優先度指示情報によって指示される優先度が第1の無線サブリソースの優先度よりも高い第2の無線サブリソースを用いて第2の指示情報を送信したことを検出によって取得しない場合、第1の無線リソース上で基地局に上りデータを送信する、
ように特に構成されている。
【００４１】
第7の可能な実施態様に関連して、第11の可能な実施態様において、送信部は、
優先度指示情報に従って、ユーザ機器に隣接したユーザ機器が第2の無線サブリソースを用いて第2の指示情報を送信したことを検出する必要はない、と判定し、第1の無線サブリソース上で、第1の無線リソースは占有されているという第1の指示情報を送信する、
ように特に構成されている。
【００４２】
第11の可能な実施態様に関連して、第12の可能な実施態様において、送信部は、
優先度指示情報を用いて、第1の無線サブリソースの優先度は最高であると指示し、第1の無線リソース上で基地局に上りデータを送信する、
ように特に構成されている。
【００４３】
第3の態様および第1から第12の可能な実施態様に関連して、第13の可能な実施態様において、リソース構成情報は無線リソースの周期を含み、無線リソースは基地局によってユーザ機器に割り振られ、周期は10ミリ秒ms未満である。
【００４４】
第4の態様によれば、基地局が提供され、本基地局は、
リソース構成情報を取得するように構成された、処理部と、
ユーザ機器にリソース構成情報を送信するように構成された、送信部と、
を含む。
【００４５】
第4の態様に関連して、第1の可能な実施態様において、リソース構成情報は無線リソースの周期を含み、周期はユーザ機器によって第1の上りデータを送信するための時刻を決定するのに用いられ、無線リソースは基地局によってユーザ機器に割り振られ、リソース構成情報は優先度をさらに含み、優先度は、ユーザ機器が第1の上りデータを送信し、または第2の上りデータを再送するための優先レベルを指示するのに用いられる。
【００４６】
第1の可能な実施態様に関連して、第2の可能な実施態様において、リソース構成情報は、同時送信情報、持続期間、または優先度閾値情報のうちの少なくとも1つをさらに含み、同時送信情報は、ユーザ機器に、異なる無線リソースに従って、第1の上りデータの送信と第2の上りデータの再送とを同時に行うよう命令するのに用いられ、持続期間は、ユーザ機器が、リソース構成情報に従って、基地局に第1の上りデータを送信し、または第2の上りデータを再送するための期間であり、優先度閾値情報は、優先度を適用する条件を指示するのに用いられる。
【００４７】
第1または第2の可能な実施態様に関連して、第3の可能な実施態様において、送信部は、
ユーザ機器に、媒体アクセス制御層または物理層で第1のアクティブ化コマンドを送信する、
ようにさらに構成されており、第1のアクティブ化コマンドが無線リソースを含む場合、第1のアクティブ化コマンドは第1のアクティブ化コマンドで指示される無線リソースをアクティブ化するのに用いられ、
リソース構成情報が無線リソースを含む場合、第1のアクティブ化コマンドはリソース構成情報で指示される無線リソースをアクティブ化するのに用いられる。
【００４８】
第4の態様に関連して、第4の可能な実施態様において、リソース構成情報は第1の無線リソースに関する情報および第2の無線リソースに関する情報を含み、第1の無線リソースは少なくとも2台のユーザ機器によって上りデータを送信するのに用いられ、少なくとも2台のユーザ機器は該ユーザ機器を含み、第2の無線リソースは少なくとも2つの無線サブリソースを含み、少なくとも2つの無線サブリソースは各々少なくとも2台のユーザ機器のうちの1台に対応しており、無線サブリソースは、ユーザ機器が無線サブリソース上で、第1の無線リソースは上りデータを送信するために占有されているという指示情報を送信するのに用いられる。
【００４９】
第4の可能な実施態様に関連して、第5の可能な実施態様において、送信部は、
ユーザ機器に、媒体アクセス制御層または物理層で、リソース構成情報で指示される第1の無線リソースおよび第2の無線リソースをアクティブ化するのに用いられる第2のアクティブ化コマンドを送信する、
ようにさらに構成されている。
【００５０】
第5の可能な実施態様に関連して、第6の可能な実施態様において、リソース構成情報は、第1の期間、規則指示情報、または優先度指示情報のうちの少なくとも1つをさらに含み、第1の期間は、第1の無線リソースと第2の無線リソースとの間の時間間隔であり、規則指示情報は、ユーザ機器によって取得され、用いられる無線サブリソースを指示するのに用いられ、優先度指示情報は、ユーザ機器によって用いられる無線サブリソースとユーザ機器に隣接したユーザ機器によって用いられる無線サブリソースとの優先レベルを指示するのに用いられる。
【００５１】
第4の態様および第1から第6の可能な実施態様のいずれか1つに関連して、第7の可能な実施態様において、リソース構成情報は無線リソースの周期を含み、無線リソースは基地局によってユーザ機器に割り振られ、周期は10ミリ秒ms未満である。
【００５２】
本発明の実施形態における、または先行技術における技術解決策をより明確に説明するために、以下で、各実施形態または先行技術を説明するのに必要な添付の図面について簡単に記述する。明らかに、以下の説明の添付の図面は単に本発明の一部の実施形態を示しているにすぎず、当業者は、これら添付の図面から難なく他の図面をさらに導出することができる。
【図面の簡単な説明】
【００５３】
【図１】本発明の一実施形態によるデータ送信方法の流れ図である。
【図２】本発明の一実施形態による別のデータ送信方法の流れ図である。
【図３】本発明の一実施形態による無線リソースの概略構造図である。
【図４】本発明の一実施形態による別のデータ送信方法の流れ図である。
【図５】本発明の一実施形態によるユーザ機器の概略構造図である。
【図６】本発明の一実施形態による基地局の概略構造図である。
【発明を実施するための形態】
【００５４】
以下で、本発明の実施形態における添付の図面に関連して、本発明の実施形態における技術解決策を明確かつ十分に説明する。明らかに、説明される実施形態は本発明の実施形態の全部ではなく一部にすぎない。本発明の実施形態に基づいて当業者により難なく得られる他のすべての実施形態は、本発明の保護範囲内に含まれるものとする。
【００５５】
本発明の一実施形態はデータ送信方法を提供する。図1に示すように、本方法は以下のステップを含む。
【００５６】
ステップ101．基地局がリソース構成情報を取得する。
【００５７】
リソース構成情報は、無線リソースの周期および優先度を含む。無線リソースは基地局によってユーザ機器に割り振られる。任意選択で、周期は10ミリ秒（millisecond、ms）未満とすることができる。
【００５８】
周期はユーザ機器によって第1の上りデータを送信するための時刻を決定するのに用いられる。無線リソースは基地局によってユーザ機器に割り振られる。優先度は、ユーザ機器が第1の上りデータを送信し、または第2の上りデータを再送するための優先レベルを指示するのに用いられる。
【００５９】
任意選択で、リソース構成情報は、同時送信情報、持続期間、または優先度閾値情報のうちの少なくとも1つをさらに含む。
【００６０】
本発明の本実施形態では、リソース構成情報に含まれる周期は、0ミリ秒より大、10ミリ秒より小、例えば、1ミリ秒または2ミリ秒とすることができる。構成される周期が短いほど、リソーススケジューリング周期も短くなる。これにより、10msの周期と比較して同じ時間内の利用可能なリソースが増加し、それによってデータ伝送遅延が有効に低減される。
【００６１】
任意選択で、リソース構成情報が複数の周期を含む場合、基地局は、媒体アクセス制御（Media Access Control、MAC）層シグナリングまたは物理層シグナリングを用いて複数の周期を切り替え、ユーザ機器に現在使用中の周期を通知することができる。
【００６２】
優先度は、ユーザ機器がリソース構成情報に従って第1の上りデータを送信し、第2の上りデータを再送するときに競合が発生した場合、第1の上りデータを送信し、または第2の上りデータを再送するための優先レベルを指示するのに用いられる。優先度はユーザ機器によって事前に構成され、または優先度はリソース構成情報にさらに含まれる。優先度はプロトコルで設定されてもよい。
【００６３】
同時送信情報は、ユーザ機器に、異なる無線リソースに従って、第1の上りデータの送信と第2の上りデータの再送とを同時に行うよう命令するのに用いられる。すなわち、第1の上りデータと第2の上りデータとの間で時刻競合が発生した後で、異なる無線リソースを用いて第1の上りデータと第2の上りデータとを同時に送信することができる。例えば、第1の上りデータはユーザ機器に周期的に割り振られる無線リソースに従って送信され、第2の上りデータは別の割り振られた無線リソースに従って再送され、または第2の上りデータはユーザ機器に周期的に割り振られる無線リソースに従って再送され、第1の上りデータは別の割り振られた無線リソースに従って送信される。別の無線リソースは、ユーザ機器に周期的に割り振られる無線リソースとは異なる無線リソースである。
【００６４】
さらに、任意選択で、複数の周期が構成される場合、第1の上りデータを送信し、第2の上りデータを再送するために、各周期が異なる優先度または異なる同時送信情報で構成されてもよいことに留意されたい。あるいは、第1の上りデータを送信し、第2の上りデータを再送するために、各周期が同じ優先度または同じ同時送信情報で構成されてもよい。
【００６５】
持続期間は、ユーザ機器が、リソース構成情報に従って、基地局に第1の上りデータを送信し、または第2の上りデータを再送するための期間である。例えば、持続期間は100ミリ秒またはリソース構成情報に含まれる周期の10倍とすることができる。
【００６６】
優先度閾値情報は、優先度を適用する条件を指示するのに用いられる。例えば、周期が事前設定値未満である場合、第2の上りデータが優先的に再送され、または周期が事前設定値より大きい場合、第1の上りデータが優先的に送信される。
【００６７】
ステップ102．基地局はユーザ機器にリソース構成情報を送信する。
【００６８】
このステップでは、リソース構成情報は、無線リソース制御（Radio Resource Control、RRC）シグナリングを用いて送信されてよい。ユーザ機器は、リソース構成情報の構成に成功した後で、基地局に構成完了メッセージを送信することができる。
【００６９】
ステップ103．ユーザ機器は基地局が送信したリソース構成情報を受信する。
【００７０】
リソース構成情報および関連した内容については、前述の説明を参照されたい。ここでは詳細を述べない。
【００７１】
ステップ104．基地局はユーザ機器に、媒体アクセス制御層または物理層で第1のアクティブ化コマンドを送信する。
【００７２】
ステップ105．ユーザ機器は、媒体アクセス制御層または物理層で基地局が送信した第1のアクティブ化コマンドを受信する。
【００７３】
第1のアクティブ化コマンドが無線リソースを含む場合、第1のアクティブ化コマンドはアクティブ化コマンドで指示される無線リソースをアクティブ化するのに用いられる。リソース構成情報が無線リソースを含む場合、第1のアクティブ化コマンドはリソース構成情報で指示される無線リソースをアクティブ化するのに用いられる。
【００７４】
第1のアクティブ化コマンドまたは動的スケジューリングコマンドは、無線リソースの指示情報をさらに含むことができることに留意されたい。無線リソースの指示情報は、無線リソースが、第1の上りデータを送信し、第2の上りデータを再送するのに用いられることを指示する、変調および符号化方式を指示する、などに用いられる。
【００７５】
さらに、任意選択で、第2の上りデータを再送するための無線リソースは基地局によって動的に指示されてもよく、またはリソース構成情報に含まれる無線リソース、アクティブ化コマンドに含まれる無線リソース、もしくは動的スケジューリングコマンドに含まれる無線リソースが用いられる。あるいは、第1の上りデータを送信するための無線リソースは動的スケジューリングコマンドによって指示されてもよく、またはリソース構成情報に含まれる無線リソースもしくはアクティブ化コマンドに含まれる無線リソースが用いられる。
【００７６】
さらに、任意選択で、異なるハイブリッド自動再送要求（Hybrid Automatic Repeatre Quest、HARQ）プロセスまたは同じHARQプロセスの異なるサブプロセスが、第1の上りデータと第2の上りデータとに用いられてもよい。
【００７７】
ステップ104およびステップ105は任意選択であることに留意されたい。理解されるように、ユーザ機器は、リソース構成情報に従って、基地局が送信した第1の下りデータ、または基地局が再送した第2の下りデータを受信することができる。理解されるように、下りデータを受信するのに第1のアクティブ化コマンドが用いられてもよい。
【００７８】
ステップ106．ユーザ機器は、リソース構成情報に従って基地局に、第1の上りデータを送信し、または第2の上りデータを再送する。
【００７９】
ユーザ機器は、第2の上りデータを再送するための時刻は、第1の上りデータを送信するための、周期に従って決定される時刻と同じであると判定し、優先度に従って、第1の上りデータを送信し、または第2の上りデータを再送する。ユーザ機器は、リソース構成情報に含まれる無線リソースまたはアクティブ化コマンドに含まれる無線リソースを用いて、基地局に第1の上りデータを送信し、または第2の上りデータを再送する。
【００８０】
具体的には、データを送信した後で、ユーザ機器が否定応答を受信した場合、データは正常に送信されなかったと判定され、データは再送する必要がある。一般に、UEは、ハイブリッド自動再送要求（HARQ、Hybrid Automatic Retransmission reQuest）方式で再送を行う。例えば、ユーザ機器は時刻nにデータを送信し、データが正常に送信されなかった場合、UEは時刻n＋8にデータを再送する。無線リソースが時刻n＋8について構成される場合、第2の上りデータを再送するための時刻は、第1の上りデータを送信するための、周期に従って決定される時刻と同じであると判定される。
【００８１】
本発明の本実施形態で提供されるデータ送信方法によれば、ユーザ機器が、基地局が送信したリソース構成情報に従って、第2の上りデータを再送するための時刻は、第1の上りデータを送信する、周期に従って決定される時刻と同じであると判定した場合、ユーザ機器は、優先度によって指示される、第1の上りデータを送信し、または第2の上りデータを再送するための優先レベルに従って、第1の上りデータを送信し、または第2の上りデータを再送する。リソース構成情報に含まれる、基地局によってユーザ機器に無線リソースを割り振るのに用いられる周期は10ms未満であり、それによって、第1の上りデータの送信または第2の上りデータの再送における競合が解決され、第1の上りデータの送信または第2の上りデータの再送における遅延が低減され、第1の上りデータの送信または第2の上りデータの再送の高信頼性が保証される。
【００８２】
本発明の一実施形態はデータ送信方法を提供する。図2に示すように、本方法は以下のステップを含む。
【００８３】
ステップ201．基地局がリソース構成情報を取得する。
【００８４】
リソース構成情報は第1の無線リソースおよび第2の無線リソースを含み、例えば、図3に示すように、第1の無線リソース11および第2の無線リソース12を含む。
【００８５】
第1の無線リソースは少なくとも2台のユーザ機器によって上りデータを送信するのに用いられ、少なくとも2台のユーザ機器は該ユーザ機器を含み、例えば、物理上り共有チャネル（Physical Uplink Shared Channel、PUSCH）である。第1の無線リソースは複数のユーザ機器が用いるように割り振ることができる。第1の無線リソースは、基地局が周期的に割り振っても、動的に割り振ってもよい。これについては本発明の本実施形態では限定されない。
【００８６】
第2の無線リソースは少なくとも2つの無線サブリソースを含む。少なくとも2つの無線サブリソースは各々少なくとも2台のユーザ機器のうちの1台に対応している。無線サブリソースは、ユーザ機器が無線サブリソース上で、第1の無線リソースは上りデータを送信するために占有されているという指示情報を送信するのに用いられる。第2の無線リソース内の無線サブリソースは複数のユーザ機器間で協調して用いられる。第2の無線リソースは第1の無線リソースに対応している。すなわち、ユーザ機器は、第2の無線リソースに従って使用される第1の無線リソースを決定することもでき、ユーザ機器は、第1の無線リソースに従って使用される第2の無線リソースを決定することもできる。第1の指示情報または第2の指示情報は、パイロット情報、プリアンブル情報、参照信号などとすることができる。これについては本発明の本実施形態では限定されない。
【００８７】
第2の無線リソースに含まれる複数の無線サブリソースは異なる時間に位置する。例えば、各無線サブリソースは異なる直交周波数分割多重（Orthogonal Frequency Division Multiplexing、OFDM）シンボル、送信時間間隔（Transmission Time Interval、TTI）、Nms、など位置する。各無線サブリソースは1台のユーザ機器が用いるように割り振ることができる。あるいは、複数の無線サブリソースは異なる周波数に位置し、または複数の無線サブリソースは異なる符号領域に位置し、または時間領域、周波数領域、もしくは符号領域のうちの少なくとも1つが異なる。これについては本発明の本実施形態では限定されない。理解されるように、一般に、無線サブリソースは第1の無線リソースと比べてはるかに小さい。無線サブリソースは、ごく少量の情報、例えば、数ビットや1ビットでさえもの情報、エネルギー情報のみを送信するのに用いられる。
【００８８】
リソース構成情報は、第1の期間、規則指示情報、または優先度指示情報のうちの少なくとも1つをさらに含む。
【００８９】
第1の期間は、第1の無線リソースと第2の無線リソースとの間の時間間隔である。第1の期間は、Nミリ秒、M個のOFDMシンボル、K個のTTIなどとすることができ、N、M、およびKは0より大である。これについては本発明の本実施形態では限定されない。図3に示すように、第1の無線リソース11と第2の無線リソース12との間には第1の期間13がある。あるいは、基地局は、別のメッセージで第1の期間を構成し、またはプロトコルで第1の期間を指定する。これについては本発明では限定しなくてよい。
【００９０】
規則指示情報は、ユーザ機器が用いる無線サブリソースを指示するのに用いられる。
【００９１】
規則指示情報は、ユーザ機器の識別および／または時間に関連していてよい。具体的には、規則指示情報は、異なるUEが異なる時刻に無線サブリソースを用いる規則に関する情報であってよい。第2の無線リソースは3つの無線サブリソースを含み、それらは3台のUEが用いるように割り振られるものと仮定する。UE1は時刻1に第1の無線サブリソースを用い、時刻2に第2の無線サブリソースを用い、時刻3に第3の無線サブリソースを用いる。UE2は時刻1に第2の無線サブリソースを用い、時刻2に第3の無線サブリソースを用い、時刻3に第1の無線サブリソースを用いる。UE3は時刻1に第3の無線サブリソースを用い、時刻2に第1の無線サブリソースを用い、時刻3に第2の無線サブリソースを用いる。あるいは、UE1は常に第1の無線サブリソースを用い、UE2は常に第2の無線サブリソースを用い、UE3は常に第3の無線サブリソースを用いる、などである。これについては本発明の本実施形態では限定されない。基地局はユーザ機器に、ユーザ機器が第1の無線サブリソースを用いる開始時刻、および／または間隔期間、および／または2つの第1の無線サブリソース使用時刻間のリソース間隔なども通知することができる。あるいは、規則はプロトコルで指定されてもよい。
【００９２】
優先度指示情報は、ユーザ機器によって用いられる第1の無線サブリソースとユーザ機器に隣接したユーザ機器によって用いられる第2の無線サブリソースとの優先レベルを指示するのに用いられる。
【００９３】
具体的には、ユーザ機器に隣接したユーザ機器によって用いられる第2の無線サブリソースの優先度がユーザ機器によって用いられる第1の無線サブリソースの優先度より高く、ユーザ機器が、ユーザ機器に隣接したユーザ機器が第2の無線サブリソースを用いて第2の指示情報を送信したことを検出した場合、ユーザ機器は、ユーザ機器が第1の無線サブリソースを用いて第1の指示情報を送信するかどうかにかかわらず、第1の上りデータを送信し、または第2の上りデータを再送するのに第1の無線リソースを用いない。
【００９４】
あるいは、ユーザ機器が、ユーザ機器に隣接したユーザ機器が第2の無線サブリソースを用いて第2の指示情報を送信したことを検出によって取得しない場合、ユーザ機器は、第1の無線サブリソースを用いて第1の指示情報を送信した後で、第1の無線リソースを用いて第1の上りデータを送信し、または第2の上りデータを再送する。
【００９５】
あるいは、ユーザ機器が、ユーザ機器に隣接したユーザ機器が優先度が第1の無線サブリソースの優先度よりも高い第2の無線サブリソースを用いて第2の指示情報を送信したことを検出によって取得しない場合、ユーザ機器は、第1の無線サブリソースを用いて第1の指示情報を送信した後で、第1の無線リソースを用いて第1の上りデータを送信し、または第2の上りデータを再送する。
【００９６】
あるいは、ユーザ機器によって用いられる第1の無線サブリソースの優先度が最高である場合、ユーザ機器は、第1の無線サブリソースを用いて第1の指示情報を送信した後で、第1の無線リソースを用いて第1の上りデータを送信し、または第2の上りデータを再送する。
【００９７】
ステップ202．基地局はユーザ機器にリソース構成情報を送信する。
【００９８】
このステップの実施態様については、前述の説明を参照されたい。ここでは詳細を述べない。
【００９９】
ステップ203．ユーザ機器は基地局が送信したリソース構成情報を受信する。
【０１００】
リソース構成情報および関連した内容については、前述の説明を参照されたい。ここでは詳細を述べない。
【０１０１】
第1の無線リソースの機能については、前述の説明を参照されたい。第1の無線リソースは少なくとも2台のユーザ機器が用いるように割り振ることができる。しかし、第1の無線リソースは一度に1台のユーザ機器しか用いることができない。したがって、第1の無線リソースは、少なくとも2台のユーザ機器によって、上りデータを協調して送信するのに用いられる。協調方式は、少なくとも2台のユーザ機器が第2の無線サブリソース上で、第1の無線リソースは上りデータを送信するために占有されているという指示情報を送信することによって実施される。第1の無線リソースは、基地局が周期的に割り振っても、動的に割り振ってもよい。これについては本発明の本実施形態では限定されない。
【０１０２】
第2の無線リソースは少なくとも2つの無線サブリソースを含む。少なくとも2つの無線サブリソースは各々少なくとも2台のユーザ機器のうちの1台に対応している。無線サブリソースは、無線サブリソースに対応するユーザ機器が無線サブリソース上で、第1の無線リソースは上りデータを送信するために占有されているという指示情報を送信するのに用いられる。このようにして、少なくとも2台のユーザ機器は、それぞれの対応する無線サブリソースを用いて協調を実施する。具体的には、少なくとも2台のユーザ機器は、それぞれの対応する無線サブリソース上で、第1の無線リソースは上りデータを送信するために占有されているという指示情報を送信することができ、少なくとも2台のユーザ機器内の別のユーザ機器に対応する無線サブリソースを検出することもできる。ユーザ機器が、別のユーザ機器が対応する無線サブリソース上で、第1の無線リソースは上りデータを送信するために占有されているという指示情報を送信したことを検出した場合、ユーザ機器は第1の無線リソース上で上りデータを送信しない。ユーザ機器が、別のユーザ機器が対応する無線サブリソース上で、第1の無線リソースは上りデータを送信するために占有されているという指示情報を送信したことを検出によって取得しない場合、ユーザ機器は、第1の無線リソースを占有するために、ユーザ機器に対応する無線サブリソース上で、第1の無線リソースは上りデータを送信するために占有されているという指示情報を送信する。
【０１０３】
さらに、以下では、協調方式の任意選択の実施方法を提示する。
【０１０４】
第2の無線リソース内の無線サブリソースは複数のユーザ機器間で協調して用いられる。第2の無線リソースは第1の無線リソースに対応している。すなわち、ユーザ機器は、第2の無線リソースに従って使用される第1の無線リソースを決定することもでき、ユーザ機器は、第1の無線リソースに従って使用される第2の無線リソースを決定することもできる。第1の指示情報または第2の指示情報は、パイロット情報、プリアンブル情報、参照信号などとすることができる。これについては本発明の本実施形態では限定されない。
【０１０５】
第2の無線リソースに含まれる複数の無線サブリソースは異なる時間に位置する。例えば、各無線サブリソースは、異なるOFDMシンボル、TTI、Nmsなどに位置する。各無線サブリソースは1台のユーザ機器が用いるように割り振ることができる。あるいは、複数の無線サブリソースは異なる周波数に位置し、または複数の無線サブリソースは異なる符号領域に位置し、または時間領域、周波数領域、もしくは符号領域のうちの少なくとも1つが異なる。これについては本発明の本実施形態では限定されない。理解されるように、一般に、無線サブリソースは第1の無線リソースと比べてはるかに小さい。無線サブリソースは、ごく少量の情報、例えば、数ビットや1ビットでさえもの情報、エネルギー情報のみを送信するのに用いられる。
【０１０６】
リソース構成情報は、第1の期間、規則指示情報、または優先度指示情報のうちの少なくとも1つをさらに含む。
【０１０７】
第1の期間は、第1の無線リソースと第2の無線リソースとの間の時間間隔である。第1の期間は、Nミリ秒、M個のOFDMシンボル、K個のTTIなどとすることができ、N、M、およびKは0より大である。これについては本発明の本実施形態では限定されない。図3に示すように、第1の無線リソース11と第2の無線リソース12との間には第1の期間13がある。あるいは、基地局は、別のメッセージで第1の期間を構成し、またはプロトコルで第1の期間を指定する。これについては本発明では限定しなくてよい。
【０１０８】
規則指示情報は、ユーザ機器が用いる無線サブリソースを指示するのに用いられる。
【０１０９】
規則指示情報は、ユーザ機器の識別および／または時間に関連していてよい。具体的には、規則指示情報は、異なるUEが異なる時刻に無線サブリソースを用いる規則に関する情報であってよい。第2の無線リソースは3つの無線サブリソースを含み、それらは3台のUEが用いるように割り振られるものと仮定する。UE1は時刻1に第1の無線サブリソースを用い、時刻2に第2の無線サブリソースを用い、時刻3に第3の無線サブリソースを用いる。UE2は時刻1に第2の無線サブリソースを用い、時刻2に第3の無線サブリソースを用い、時刻3に第1の無線サブリソースを用いる。UE3は時刻1に第3の無線サブリソースを用い、時刻2に第1の無線サブリソースを用い、時刻3に第2の無線サブリソースを用いる。あるいは、UE1は常に第1の無線サブリソースを用い、UE2は常に第2の無線サブリソースを用い、UE3は常に第3の無線サブリソースを用いる、などである。これについては本発明の本実施形態では限定されない。基地局はユーザ機器に、ユーザ機器が第1の無線サブリソースを用いる開始時刻、および／または間隔期間、および／または2つの第1の無線サブリソース使用時刻間のリソース間隔なども通知することができる。あるいは、規則はプロトコルで指定されてもよい。
【０１１０】
優先度指示情報は、ユーザ機器によって用いられる第1の無線サブリソースとユーザ機器に隣接したユーザ機器によって用いられる第2の無線サブリソースとの優先レベルを指示するのに用いられる。
【０１１１】
具体的には、ユーザ機器に隣接したユーザ機器によって用いられる第2の無線サブリソースの優先度がユーザ機器によって用いられる第1の無線サブリソースの優先度より高く、ユーザ機器が、ユーザ機器に隣接したユーザ機器が第2の無線サブリソースを用いて第2の指示情報を送信したことを検出した場合、ユーザ機器は、ユーザ機器が第1の無線サブリソースを用いて第1の指示情報を送信するかどうかにかかわらず、第1の上りデータを送信し、または第2の上りデータを再送するのに第1の無線リソースを用いない。
【０１１２】
あるいは、ユーザ機器が、ユーザ機器に隣接したユーザ機器が第2の無線サブリソースを用いて第2の指示情報を送信したことを検出によって取得しない場合、ユーザ機器は、第1の無線サブリソースを用いて第1の指示情報を送信した後で、第1の無線リソースを用いて第1の上りデータを送信し、または第2の上りデータを再送する。
【０１１３】
あるいは、ユーザ機器が、ユーザ機器に隣接したユーザ機器が優先度が第1の無線サブリソースの優先度よりも高い第2の無線サブリソースを用いて第2の指示情報を送信したことを検出によって取得しない場合、ユーザ機器は、第1の無線サブリソースを用いて第1の指示情報を送信した後で、第1の無線リソースを用いて第1の上りデータを送信し、または第2の上りデータを再送する。
【０１１４】
あるいは、ユーザ機器によって用いられる第1の無線サブリソースの優先度が最高である場合、ユーザ機器は、第1の無線サブリソースを用いて第1の指示情報を送信した後で、第1の無線リソースを用いて第1の上りデータを送信し、または第2の上りデータを再送する。
【０１１５】
理解されるように、第1の指示情報は、第2の指示情報と異なり、または同じである。
【０１１６】
ステップ204．ユーザ機器に、媒体アクセス制御層または物理層で第2のアクティブ化コマンドを送信する。
【０１１７】
ステップ205．ユーザ機器は、媒体アクセス制御層または物理層で基地局が送信した第2のアクティブ化コマンドを受信する。
【０１１８】
第2のアクティブ化コマンドは、リソース構成情報で指示される第1の無線リソースおよび第2の無線リソースをアクティブ化するのに用いられる。
【０１１９】
理解されるように、第2のアクティブ化コマンドは、無線リソースの指示情報をさらに含むことができる。無線リソースの指示情報は、無線リソースが、第1の上りデータを送信し、第2の上りデータを再送するのに用いられることを指示する、変調および符号化方式を指示する、などに用いられる。
【０１２０】
さらに、任意選択で、第2の上りデータを再送するための無線リソースは基地局によって動的に指示されてもよく、またはリソース構成情報に含まれる無線リソースもしくは第2のアクティブ化コマンドに含まれる無線リソースが用いられる。あるいは、第1の上りデータを送信するための無線リソースは基地局によって動的に指示されてもよく、またはリソース構成情報に含まれる無線リソースもしくはアクティブ化コマンドに含まれる無線リソースが用いられる。
【０１２１】
さらに、任意選択で、異なるHARQプロセスまたは同じHARQプロセスの異なるサブプロセスが、第1の上りデータと第2の上りデータとに用いられてもよい。
【０１２２】
ステップ204およびステップ205は任意選択であることに留意されたい。
【０１２３】
ステップ206．ユーザ機器は、規則指示情報に従って、ユーザ機器が第1の指示情報を送信するのに用いる必要がある第1の無線サブリソースを決定し、ステップ207またはステップ208を行う。
【０１２４】
例えば、図5に示すように、UE1は規則指示情報に従って時刻1に第1の無線サブリソースを用い、UE2は規則指示情報に従って時刻1に第2の無線サブリソースを用い、UE3は規則指示情報に従って時刻1に第3の無線サブリソースを用いるものと仮定する。
【０１２５】
ステップ207．ユーザ機器は、ユーザ機器に隣接したユーザ機器が第2の無線サブリソースを用いて第2の指示情報を送信したことを検出する。
【０１２６】
ステップ208．ユーザ機器は、第1の無線サブリソース上で、第1の無線リソースは占有されているという第1の指示情報を送信する。
【０１２７】
ユーザ機器が、ユーザ機器に隣接したユーザ機器が第2の無線サブリソースを用いて第2の指示情報を送信したことを検出によって取得しない場合、UE1は、第1の無線サブリソース上で、第1の無線リソースは占有されているという第1の指示情報を送信する。理解されるように、第1の無線サブリソースの優先度が最高であり、第1の無線サブリソースが時間的に最も早い場合、UEは、ユーザ機器に隣接したユーザ機器が第2の無線サブリソースを用いて第2の指示情報を送信したことを検出しない。これについては本発明の本実施形態では限定されない。
【０１２８】
ユーザ機器は、優先度指示情報に従って、ユーザ機器に隣接したユーザ機器が第2の無線サブリソースを用いて第2の指示情報を送信したことを検出する必要はない、と判定し、ユーザ機器は、第1の無線サブリソース上で、第1の無線リソースは占有されているという第1の指示情報を送信する。
【０１２９】
このようにして、ユーザ機器とユーザ機器に隣接したユーザ機器とは第2の無線リソース内の無線サブリソースを協調して用い、それによって、第1の無線リソースに関するユーザ機器の衝突の確率が低減され、第1の無線リソースの利用度が改善され、データ伝送信頼性が改善され、データ伝送遅延が低減される。
【０１３０】
第1の指示情報は、第2の指示情報と異なっていてもよく、同じであってもよいことに留意されたい。
【０１３１】
特に、基地局は、受信した異なるユーザ機器の第1の指示情報および／または第2の指示情報に従ってユーザ機器に第1の無線リソースを割り振り、別のユーザ機器は別の無線リソースを用いる。具体的には、基地局が第1の無線リソースを割り振る方法は、基地局が、第1の指示情報または第2の指示情報を送信した少なくとも1台のユーザ機器に専用物理上り共有チャネルリソースを割り振るステップ、を含む。第1の指示情報または第2の指示情報を送信したユーザ機器が専用物理上り共有チャネルリソースを受け取らない場合、ユーザ機器は第1の無線リソースを用いて第1の上りデータを送信することができる。あるいは、基地局は、第1の無線リソースを用いるユーザ機器を指示することもできる。
【０１３２】
基地局は、通知メッセージを用いて、ユーザ機器に、第1の無線リソースまたは専用物理上り共有チャネルリソースを用いるよう命令することができる。通知メッセージは、物理層メッセージであってもよく、媒体アクセス制御層メッセージであってもよい。これについては本発明の本実施形態では限定されない。物理層メッセージは、物理下り制御チャネル（Physical Downlink Control Channel、PDCCH）、物理ハイブリッド自動再送要求指示チャネル（Physical Hybrid ARQ Indicator Channel、PHICH）、または別の物理チャネルとすることができる。物理層メッセージは、UE識別情報といったUE情報を含むことができる。具体的には、UE識別は、物理層メッセージをマスクするのに用いられてもよく、物理層メッセージで搬送されてもよい。UE識別情報は、第1の無線リソースを用いる複数のUEのセル無線ネットワーク一時識別（Cell−Radio Network Temporary Identity、C−RNTI）、または第1の無線リソースを用いる複数のUEの、グループ内のインデックス番号とすることができる。C−RNTIの長さと比べて、インデックス番号の長さははるかに短い。例えば、C−RNTIの現在の長さは16bitであり、グループ内に16台のUEがある場合、わずか4bitで各UEを区別することができる。したがって、シグナリングオーバーヘッドが大幅に低減される。
【０１３３】
ステップ209．ユーザ機器は、第1の無線リソース上で、基地局に上りデータを送信する。
【０１３４】
ユーザ機器が、ユーザ機器に隣接したユーザ機器が第2の無線サブリソースを用いて第2の指示情報を送信したことを検出によって取得しない場合、ユーザ機器は、第1の無線リソース上で基地局に上りデータを送信する。
【０１３５】
あるいは、ユーザ機器が、ユーザ機器に隣接したユーザ機器が優先度指示情報によって指示される優先度が第1の無線サブリソースの優先度よりも高い第2の無線サブリソースを用いて第2の指示情報を送信したことを検出によって取得しない場合、ユーザ機器は、第1の無線リソース上で基地局に上りデータを送信する。
【０１３６】
あるいは、ユーザ機器は、優先度指示情報を用いて、第1の無線サブリソースの優先度は最高であると指示し、ユーザ機器は、第1の無線リソース上で基地局に上りデータを送信する。
【０１３７】
本発明の本実施形態のデータ送信方法によれば、ユーザ機器は、第1の無線サブリソース上で、第1の無線リソースは占有されているという第1の指示情報を送信し、そのためユーザ機器は第1の無線リソース上で基地局に上りデータを送信することができる。したがって、リソース構成情報内の、第2の無線リソースに対応している第1の無線リソースを用いて、第1の上りデータが送信され、または第2の上りデータが再送される。これにより、第1の上りデータの送信または第2の上りデータの再送における競合が解決され、第1の上りデータの送信または第2の上りデータの再送における遅延が低減され、第1の上りデータの送信または第2の上りデータの再送の高信頼性が保証される。
【０１３８】
本発明の実施形態では、第1の上りデータおよび第2の上りデータは、ユーザデータ、シグナリング、媒体アクセス制御 制御要素（Media Access Control Control Element、MAC CE）などとすることができることに留意されたい。これについては本発明では特に限定されない。本発明の実施形態では、リソース構成情報は無線リソースの周期をさらに含むことができる。無線リソースは基地局によってユーザ機器に割り振られる。周期は10ms未満である。
【０１３９】
本発明の一実施形態はデータ送信方法を提供する。図4に示すように、本方法は以下のステップを含む。
【０１４０】
ステップ301．基地局がリソース構成情報を取得する。
【０１４１】
リソース構成情報は同時HARQ送信の数量を含む。
【０１４２】
具体的には、同時HARQ送信の数量は、同時HARQ送信の最大数量として指示されてもよく、同時HARQ送信の最小数量として指示されてもよく、同時HARQ送信の最大数量および同時HARQ送信の最小数量として指示されてもよく、同時HARQ送信の特定の数量として指示されてもよい。これについては本発明の本実施形態では限定されない。
【０１４３】
任意選択で、リソース構成情報は、HARQプロセス数量および／またはHARQプロセス数をさらに含む。具体的には、HARQプロセス数量および／またはHARQプロセス数は、同時HARQ送信の数量と関連付けられていてよい。例えば、1つのHARQプロセスが複数回のHARQ送信を行うのに用いられ、または各プロセスが1回のHARQ送信に対応している。
【０１４４】
任意選択で、リソース構成情報は、クロスキャリア同時HARQ送信の指示情報をさらに含む。クロスキャリア同時HARQ送信の指示情報は、UEがクロスキャリア同時HARQ送信を行うかどうか指示する、クロスキャリア同時HARQ送信が行われるキャリアを指示する、などに用いられる。理解されるように、具体的な内容は、クロスキャリア同時HARQ送信を行うかどうかの指示、クロスキャリア同時HARQ送信が行われるキャリアの指示などとすることができる。
【０１４５】
クロスキャリア同時HARQ送信が可能とされる場合、複数のキャリアは、認可スペクトルキャリア、無認可スペクトルキャリア、または認可スペクトルキャリアと無認可スペクトルキャリアの組み合わせとすることができる。これについては本発明の本実施形態では限定されない。
【０１４６】
リソース構成情報は、HARQ送信回数の最大数量をさらに含む。
【０１４７】
リソース構成情報は、上りフィードバックリソース指示情報および／または下りフィードバックリソース情報など、HARQフィードバックリソース指示情報をさらに含む。
【０１４８】
リソース構成情報は、上りHARQ送信または下りHARQ送信にさらに用いられてよい。
【０１４９】
リソース構成情報は、RRCメッセージ、MAC層シグナリング、または物理層シグナリングを用いて送信されてよい。これについては本発明の本実施形態では限定されない。
【０１５０】
ステップ302．基地局はユーザ機器にリソース構成情報を送信する。
【０１５１】
ステップ303．ユーザ機器は基地局が送信したリソース構成情報を受信する。
【０１５２】
リソース構成情報および関連した内容については、前述の説明を参照されたい。
【０１５３】
ステップ304．ユーザ機器はリソース構成情報に従って第1の上りデータを送信する。
【０１５４】
具体的には、基地局が送信した上り許可を受信した後で、ユーザ機器は、リソース構成情報に従って複数回のHARQ送信を同時に行い、例えば、並列伝送のために第1の上りデータを（時間、周波数領域、符号領域などを含む）複数の異なる物理リソースにマップする。
【０１５５】
ユーザ機器が用いる無線リソースは、基地局（eNB）が送信するコマンドによって指示することができる。例えば、eNBが送信するコマンドは、複数回のHARQ送信によって用いられるすべての無線リソースに関する情報を搬送する。例えば、コマンドで搬送される第1のHARQ送信の無線リソースは無線リソース1であり、またはコマンドで搬送される第1のHARQ送信の無線リソースは無線リソース2である。あるいは、eNBが送信するコマンドによっていくつかの無線リソースが指示され、リソース構成情報によって別の無線リソースが指示される。例えば、コマンドで搬送される第1のHARQ送信の無線リソースは無線リソース1であり、リソース構成情報は、第2のHARQ送信の無線リソースが無線リソース1に隣接した無線リソースであることを指示する。あるいは、eNBが送信するコマンドによっていくつかの無線リソースが指示され、プロトコル規則によって別の無線リソースが指示される。例えば、コマンドで搬送される第1のHARQ送信の無線リソースは無線リソース1であり、プロトコルは、第2のHARQ送信の無線リソースが無線リソース1に隣接した無線リソースであることを指示する。その場合、UEはコマンドおよび規則に従ってすべての可能な無線リソースを決定することができる。これについては本発明の本実施形態では限定されない。
【０１５６】
ステップ304の後に、本方法はステップ305およびステップ306をさらに含むことができる。
【０１５７】
ステップ305．ユーザ機器は基地局が送信したフィードバックメッセージを受信する。
【０１５８】
フィードバックメッセージによって用いられるリソースは、複数回のHARQ送信によって用いられる複数のリソースのうちの1つまたは複数のリソースに従って決定することができる。1つまたは複数のフィードバックメッセージを用いる具体的な情報は、プロトコルで指定されてもよく、ステップ301でリソース構成情報を用いて構成されてもよい。これについては本発明の本実施形態では限定されない。特に、複数のフィードバックメッセージの使用によりフィードバックの信頼性も向上する。
【０１５９】
ステップ306．ユーザ機器はフィードバックメッセージおよびリソース構成情報に従って第1の上りデータを再送する。
【０１６０】
ステップ303の後に、本方法はステップ307およびステップ308をさらに含むことができる。
【０１６１】
ステップ307．ユーザ機器はリソース構成情報に従って第1の下りデータを受信する。
【０１６２】
具体的には、ユーザ機器は、eNBが送信した下り割り当て（DL Assignment）コマンドおよびリソース構成情報に従って第1の下りデータを受信することができる。複数回のHARQ送信を同時に行うことができ、例えば、（時間、周波数領域、符号領域などを含む）複数の異なる物理リソース上で並列伝送が行われる。さらに、並列に伝送される複数の下りデータが復号のためにさらに組み合わされてもよい。
【０１６３】
ユーザ機器が用いる無線リソースは、基地局（eNB）が送信するコマンドによって指示することができる。例えば、eNBが送信するコマンドは、複数回のHARQ送信によって用いられるすべての無線リソースに関する情報を搬送する。例えば、コマンドで搬送される第1のHARQ送信の無線リソースは無線リソース1であり、またはコマンドで搬送される第1のHARQ送信の無線リソースは無線リソース2である。あるいは、eNBが送信するコマンドによっていくつかの無線リソースが指示され、リソース構成情報によって別の無線リソースが指示される。例えば、コマンドで搬送される第1のHARQ送信の無線リソースは無線リソース1であり、リソース構成情報は、第2のHARQ送信の無線リソースが無線リソース1に隣接した無線リソースであることを指示する。あるいは、eNBが送信するコマンドによっていくつかの無線リソースが指示され、プロトコル規則によって別の無線リソースが指示される。例えば、コマンドで搬送される第1のHARQ送信の無線リソースは無線リソース1であり、プロトコルは、第2のHARQ送信の無線リソースが無線リソース1に隣接した無線リソースであることを指示する。その場合、UEはコマンドおよび規則に従ってすべての可能な無線リソースを決定することができる。これについては本発明の本実施形態では限定されない。
【０１６４】
ステップ308．ユーザ機器は基地局にフィードバックメッセージを送信する。
【０１６５】
フィードバックメッセージによって用いられるリソースは、複数回のHARQ送信によって用いられる複数のリソースのうちの1つもしくは複数のリソースに従って決定されてもよく、かつ／またはコマンドに従って、例えば、コマンドを送信するためのリソースもしくはコマンド内の指示に従って決定されてもよく、かつ／またはHARQ構成パラメータ内の情報に従って決定されてもよい。これについては本発明の本実施形態では限定されない。
【０１６６】
1つまたは複数のフィードバックメッセージを用いる具体的な情報は、プロトコルで指定されてもよく、ステップ301でHARQ構成パラメータを用いて構成されてもよい。これについては本発明の本実施形態では限定されない。
【０１６７】
複数のフィードバックリソースの使用によりフィードバックの信頼性も向上する。
【０１６８】
ユーザ機器が第1の下りデータの受信に成功した場合、ユーザ機器は第1の下りデータを上位層に伝達し、eNBに肯定応答をフィードバックする。
【０１６９】
ユーザ機器が第1の下りデータの受信に失敗した場合、ユーザ機器はeNBに否定応答をフィードバックする。さらに、第1の下りデータを受信するために再送が行われる。
【０１７０】
本発明の本実施形態のデータ送信方法は、シングルキャリア、キャリアアグリゲーション、デュアルコネクティビティ、32キャリアアグリゲーションといった様々なシナリオに適用され、また、より高い帯域幅、より多くのキャリアのアグリゲーション、より短い送信時間間隔といったシナリオにも適用されることに留意されたい。
【０１７１】
本発明の本実施形態のデータ送信方法によれば、基地局はリソース構成情報をまず取得する。ユーザ機器は基地局が送信したリソース構成情報を受信し、リソース構成情報に従って第1の上りデータを送信する。先行技術と比べて、同時HARQ送信の数量はリソース構成情報内の第2の無線リソースに含まれ、それによって、第1の上りデータ送信の遅延が低減され、第1の上りデータの送信または第2の上りデータの再送の高信頼性が保証される。
【０１７２】
本発明の一実施形態はユーザ機器40を提供する。図5に示すように、ユーザ機器40は、
基地局が送信したリソース構成情報を受信するように構成された、受信部401と、
処理部の制御下で、基地局に上りデータを送信するように構成された、送信部402と、
リソース構成情報に従って基地局に上りデータを送信するよう送信部を制御するように構成された、処理部403と、
を含む。
【０１７３】
任意選択で、リソース構成情報は無線リソースの周期を含み、無線リソースは基地局によってユーザ機器に割り振られる。
【０１７４】
処理部403は、
第2の上りデータを再送するための時刻は、第1の上りデータを送信するための、周期に従って決定される時刻と同じであると判定する、
ようにさらに構成されている。
【０１７５】
送信部402は、
処理部403が、第2の上りデータを再送するための時刻は、第1の上りデータを送信するための、周期に従って決定される時刻と同じであると判定した場合、第1の上りデータを送信し、または第2の上りデータを再送するための優先レベルを指示するのに用いられる優先度に従って第1の上りデータを送信し、または第2の上りデータを再送する、
ように特に構成されている。
【０１７６】
優先度はユーザ機器によって事前に構成され、または優先度はリソース構成情報にさらに含まれる。
【０１７７】
このようにして、ユーザ機器が、基地局が送信したリソース構成情報に従って、第2の上りデータを再送するための時刻は、第1の上りデータを送信する、周期に従って決定される時刻と同じであると判定した場合、ユーザ機器は、優先度によって指示される、第1の上りデータを送信し、または第2の上りデータを再送するための優先レベルに従って、第1の上りデータを送信し、または第2の上りデータを再送し、それによって、第1の上りデータの送信または第2の上りデータの再送における競合が解決され、第1の上りデータの送信または第2の上りデータの再送における遅延が低減され、第1の上りデータの送信または第2の上りデータの再送の高信頼性が保証される。
【０１７８】
さらに、任意選択で、リソース構成情報は、同時送信情報、持続期間、または優先度閾値情報のうちの少なくとも1つをさらに含み、同時送信情報は、ユーザ機器に、異なる無線リソースに従って、第1の上りデータの送信と第2の上りデータの再送とを同時に行うよう命令するのに用いられ、持続期間は、ユーザ機器が、リソース構成情報に従って、基地局に第1の上りデータを送信し、または第2の上りデータを再送するための期間であり、優先度閾値情報は、優先度を適用する条件を指示するのに用いられる。
【０１７９】
受信部401は、
媒体アクセス制御層または物理層で基地局が送信した第1のアクティブ化コマンドを受信する、
ようにさらに構成されている。
【０１８０】
第1のアクティブ化コマンドが無線リソースを含む場合、第1のアクティブ化コマンドは第1のアクティブ化コマンドで指示される無線リソースをアクティブ化するのに用いられる。
【０１８１】
リソース構成情報が無線リソースを含む場合、第1のアクティブ化コマンドはリソース構成情報で指示される無線リソースをアクティブ化するのに用いられる。
【０１８２】
任意選択で、リソース構成情報は第1の無線リソースに関する情報および第2の無線リソースに関する情報を含む。第1の無線リソースは少なくとも2台のユーザ機器によって上りデータを送信するのに用いられ、少なくとも2台のユーザ機器は該ユーザ機器を含む。第2の無線リソースは少なくとも2つの無線サブリソースを含む。少なくとも2つの無線サブリソースは各々少なくとも2台のユーザ機器のうちの1台に対応している。無線サブリソースは、ユーザ機器が無線サブリソース上で、上りデータが第1の無線リソース上で送信されるという指示情報を送信するのに用いられる。
【０１８３】
送信部402は、
少なくとも2つの無線サブリソースのうちの、ユーザ機器に対応している無線サブリソースである第1の無線サブリソース上で、第1の無線リソースは占有されているという第1の指示情報を送信し、
第1の無線リソース上で基地局に上りデータを送信する、
ように特に構成されている。
【０１８４】
このようにして、ユーザ機器は、第1の無線サブリソース上で、第1の無線リソースは占有されているという第1の指示情報を送信し、そのためユーザ機器は第1の無線リソース上で基地局に上りデータを送信することができる。したがって、リソース構成情報内の、第2の無線リソースに対応している第1の無線リソースを用いて、第1の上りデータが送信され、または第2の上りデータが再送される。これにより、第1の上りデータの送信または第2の上りデータの再送における競合が解決され、第1の上りデータの送信または第2の上りデータの再送における遅延が低減され、第1の上りデータの送信または第2の上りデータの再送の高信頼性が保証される。
【０１８５】
受信部401は、
リソース構成情報で指示される第1の無線リソースおよび第2の無線リソースをアクティブ化するのに用いられる、媒体アクセス制御層または物理層で基地局が送信した第2のアクティブ化コマンドを受信する、
ようにさらに構成されている。
【０１８６】
さらに、任意選択で、リソース構成情報は、第1の期間、規則指示情報、または優先度指示情報のうちの少なくとも1つをさらに含む。第1の期間は、第1の無線リソースと第2の無線リソースとの間の時間間隔である。規則指示情報は、ユーザ機器によって取得され、用いられる無線サブリソースを指示するのに用いられる。優先度指示情報は、ユーザ機器によって用いられる無線サブリソースとユーザ機器に隣接したユーザ機器によって用いられる無線サブリソースとの優先レベルを指示するのに用いられる。
【０１８７】
処理部403は、規則指示情報に従って、ユーザ機器が第1の指示情報を送信するのに用いる必要がある第1の無線サブリソースを決定するように構成されている。
【０１８８】
処理部403は、
ユーザ機器に隣接したユーザ機器が第2の無線サブリソースを用いて第2の指示情報を送信したことを検出する、
ようにさらに構成されている。
【０１８９】
送信部402は、
ユーザ機器が、ユーザ機器に隣接したユーザ機器が第2の無線サブリソースを用いて第2の指示情報を送信したことを検出によって取得しない場合、第1の無線サブリソース上で、第1の無線リソースは占有されているという第1の指示情報を送信する、
ように特に構成されている。
【０１９０】
送信部402は、
ユーザ機器が、ユーザ機器に隣接したユーザ機器が第2の無線サブリソースを用いて第2の指示情報を送信したことを検出によって取得しない場合、第1の無線リソース上で基地局に上りデータを送信し、または
ユーザ機器が、ユーザ機器に隣接したユーザ機器が優先度指示情報によって指示される優先度が第1の無線サブリソースの優先度よりも高い第2の無線サブリソースを用いて第2の指示情報を送信したことを検出によって取得しない場合、第1の無線リソース上で基地局に上りデータを送信する、
ように特に構成されている。
【０１９１】
送信部402は、
優先度指示情報に従って、ユーザ機器に隣接したユーザ機器が第2の無線サブリソースを用いて第2の指示情報を送信したことを検出する必要はない、と判定し、第1の無線サブリソース上で、第1の無線リソースは占有されているという第1の指示情報を送信する、
ように特に構成されている。
【０１９２】
送信部402は、
優先度指示情報を用いて、第1の無線サブリソースの優先度は最高であると指示し、第1の無線リソース上で基地局に上りデータを送信する、
ように特に構成されている。
【０１９３】
リソース構成情報は無線リソースの周期を含むことに留意されたい。無線リソースは基地局によってユーザ機器に割り振られる。周期は10ms未満である。
【０１９４】
本発明の一実施形態は基地局50を提供する。図6に示すように、基地局50は、
リソース構成情報を取得するように構成された、処理部501と、
ユーザ機器にリソース構成情報を送信するように構成された、送信部502と、
を含む。
【０１９５】
任意選択で、リソース構成情報は無線リソースの周期を含み、周期はユーザ機器によって第1の上りデータを送信するための時刻を決定するのに用いられ、無線リソースは基地局によってユーザ機器に割り振られ、リソース構成情報は優先度をさらに含み、優先度は、ユーザ機器が第1の上りデータを送信し、または第2の上りデータを再送するための優先レベルを指示するのに用いられる。
【０１９６】
このようにして、リソース構成情報に含まれる、基地局によってユーザ機器に無線リソースを割り振るのに用いられる周期は10ms未満であり、それによって、第1の上りデータの送信または第2の上りデータの再送における競合が解決され、第1の上りデータの送信または第2の上りデータの再送における遅延が低減され、第1の上りデータの送信または第2の上りデータの再送の高信頼性が保証される。
【０１９７】
任意選択で、リソース構成情報は、同時送信情報、持続期間、または優先度閾値情報のうちの少なくとも1つをさらに含み、同時送信情報は、ユーザ機器に、異なる無線リソースに従って、第1の上りデータの送信と第2の上りデータの再送とを同時に行うよう命令するのに用いられ、持続期間は、ユーザ機器が、リソース構成情報に従って、基地局に第1の上りデータを送信し、または第2の上りデータを再送するための期間であり、優先度閾値情報は、優先度を適用する条件を指示するのに用いられる。
【０１９８】
送信部502は、
ユーザ機器に、媒体アクセス制御層または物理層で第1のアクティブ化コマンドを送信する、
ようにさらに構成されている。
【０１９９】
第1のアクティブ化コマンドが無線リソースを含む場合、第1のアクティブ化コマンドは第1のアクティブ化コマンドで指示される無線リソースをアクティブ化するのに用いられる。
【０２００】
リソース構成情報が無線リソースを含む場合、第1のアクティブ化コマンドはリソース構成情報で指示される無線リソースをアクティブ化するのに用いられる。
【０２０１】
任意選択で、リソース構成情報は第1の無線リソースに関する情報および第2の無線リソースに関する情報を含む。第1の無線リソースは少なくとも2台のユーザ機器によって上りデータを送信するのに用いられ、少なくとも2台のユーザ機器は該ユーザ機器を含む。第2の無線リソースは少なくとも2つの無線サブリソースを含む。少なくとも2つの無線サブリソースは各々少なくとも2台のユーザ機器のうちの1台に対応している。無線サブリソースは、ユーザ機器が無線サブリソース上で、上りデータが第1の無線リソース上で送信されるという指示情報を送信するのに用いられる。
【０２０２】
このようにして、基地局はユーザ機器に第1の無線リソースおよび第2の無線リソースを送信し、ユーザ機器は、第1の無線サブリソース上で、第1の無線リソースは占有されているという第1の指示情報を送信し、そのためユーザ機器は第1の無線リソース上で基地局に上りデータを送信することができる。したがって、リソース構成情報内の、第2の無線リソースに対応している第1の無線リソースを用いて、第1の上りデータが送信され、または第2の上りデータが再送される。これにより、第1の上りデータの送信または第2の上りデータの再送における競合が解決され、第1の上りデータの送信または第2の上りデータの再送における遅延が低減され、第1の上りデータの送信または第2の上りデータの再送の高信頼性が保証される。
【０２０３】
送信部502は、
ユーザ機器に、媒体アクセス制御層または物理層で、リソース構成情報で指示される第1の無線リソースおよび第2の無線リソースをアクティブ化するのに用いられる第2のアクティブ化コマンドを送信する、
ようにさらに構成されている。
【０２０４】
任意選択で、リソース構成情報は、第1の期間、規則指示情報、または優先度指示情報のうちの少なくとも1つをさらに含む。第1の期間は、第1の無線リソースと第2の無線リソースとの間の時間間隔である。規則指示情報は、ユーザ機器によって取得され、用いられる無線サブリソースを指示するのに用いられる。優先度指示情報は、ユーザ機器によって用いられる無線サブリソースとユーザ機器に隣接したユーザ機器によって用いられる無線サブリソースとの優先レベルを指示するのに用いられる。
【０２０５】
リソース構成情報は無線リソースの周期を含む。無線リソースは基地局によってユーザ機器に割り振られる。周期は10ミリ秒ms未満である。
【０２０６】
ユーザ機器は、受信機と、プロセッサと、メモリと、送信機とをさらに含むことができることに留意されたい。受信機が行うステップについては、ユーザ機器の受信部の具体的なステップを参照されたい。送信機が行うステップについては、ユーザ機器の送信部の具体的なステップを参照されたい。プロセッサが行うステップについては、ユーザ機器の処理部の具体的なステップを参照されたい。メモリは、プロセッサの特定の処理ステップおよびプログラムを記憶するように構成されている。
【０２０７】
基地局は、受信機と、プロセッサと、メモリと、送信機とをさらに含むことができる。送信機が行うステップについては、基地局の送信部の具体的なステップを参照されたい。プロセッサが行うステップについては、基地局の処理部の具体的なステップを参照されたい。メモリは、プロセッサの特定の処理ステップおよびプログラムを記憶するように構成されている。受信機は、ユーザ機器が送信したメッセージを受信するように構成される。
【０２０８】
説明を簡便にするために、前述の装置、およびユニットの詳細な動作プロセスについては、前述の方法実施形態における対応するプロセスを参照できることを当業者は明確に理解することができ、本明細書では詳細を繰り返さない。
【０２０９】
本出願で提供されるいくつかの実施形態においては、開示の装置および方法を他のやり方で実現することもできることを理解すべきである。例えば、前述の装置実施形態は単なる例にすぎない。例えば、ユニット分割は単なる論理的機能分割にすぎず、実際の実装に際しては他の分割とすることもできる。例えば、複数のユニットまたはコンポーネントを組み合わせ、または統合して別のシステムとする場合もあり、一部の特徴を無視し、または実行しない場合もある。加えて、図示された、または論じられた相互結合または直接結合または通信接続を、いくつかのインターフェースを用いて実現することもできる。装置間またはユニット間の間接結合または通信接続は、電子的形態、機械的形態、または他の形態として実現されてもよい。
【０２１０】
別々の部品として記述されたユニットは物理的に分離している場合もそうではない場合もあり、ユニットとして図示された部品は物理的ユニットである場合もそうではない場合もあり、一箇所に位置する場合もあり、複数のネットワークユニット上に分散される場合もある。ユニットの一部または全部を、各実施形態の解決策の目的を達成するための実際の要件に従って選択することもできる。
【０２１１】
加えて、本発明の各実施形態における機能ユニットは1つの処理ユニットに統合されていてもよく、ユニットの各々が物理的に独立して存在していてもよく、または2つ以上のユニットは1つのユニットに統合される。統合ユニットはハードウェアの形態で実現することもでき、ソフトウェア機能ユニットにハードウェアを加えた形態で実現することもできる。
【０２１２】
当業者は、方法実施形態における各ステップの全部または一部を関連ハードウェアに命令するプログラムによって実現することができることを理解するであろう。プログラムはコンピュータ可読記憶媒体に記憶されていてよい。プログラムが動作すると、方法実施形態の各ステップが行われる。前述の記憶媒体は、読取り専用メモリ（Read−Only Memory、ROM）、ランダム・アクセス・メモリ（Random−Access Memory、RAM）、磁気ディスク、光ディスクといった、プログラムコードを記憶することができる任意の媒体を含む。
【０２１３】
以上の説明は、単に、本発明の具体的実施態様であるにすぎず、本発明の保護範囲を限定するためのものではない。本発明で開示される技術範囲内で当業者によって容易に考案されるいかなる変形も置換も、本発明の保護範囲内に含まれるものとする。したがって、本発明の保護範囲は、特許請求の範囲の保護範囲に従うべきものとする。
【符号の説明】
【０２１４】
11  第1の無線リソース
12  第2の無線リソース
13  第1の期間
40  ユーザ機器
401  受信部
402  送信部
403  処理部
50  基地局
501  処理部
502  送信部
【図１】
0006590287.tif 000002
【図２】
0006590287.tif 000003
【図３】
0006590287.tif 000004
【図４】
0006590287.tif 000005
【図５】
0006590287.tif 000006
【図６】
0006590287.tif 000007